(57)【特許請求の範囲】
【請求項１】
ハウジングケース内に、消毒すべき医療用具を挿入保持するための透明石英ガラス管よりなる保持管と、前記保持管の外方に配設する紫外線殺菌灯と、さらに、その周囲に紫外線殺菌灯より照射された紫外線を乱反射させるための反射板とを配設し、また、前記保持管の開口端に合せてハウジングケース前面に挿入口を設けた医療用具の消毒器に使用するものであり、挿入口の前側に設けるものとして立板フランジを有する水平な受け台板と、消毒すべき医療用具を一部差し入れる筒体であり、この筒体の差し入れ口部外周に前記立板フランジへの係止溝を形成した保持具とからなることを特徴とした医療用具の消毒器の補助具。
【請求項２】
筒体は、内部に押し板バネによる医療用具の固定部材を配設した請求項１記載の医療用具の消毒器の補助具。
【請求項３】
筒体の差し入れ口部は下半部を受け部として延設したものであり、この受け部を肉厚ボス部としてその中央外周面に係止溝を形成した請求項１または請求項２記載の医療用具の消毒器の補助具。
【請求項４】
受け台板の立板フランジは保持具側の係止溝に係合する部分として上端中央に凹部を形成し、また、蝶番による開閉板で、左右に折り返しフランジと、下端中央に前記凹部に対応する凹部を形成した開閉板をこの受け台板側に上から倒し被せるようにした請求項１ないし請求項３のいずれかに記載の医療用具の消毒器の補助具。
【発明の詳細な説明】
【０００１】
【発明の属する技術分野】
本発明は、医療用具、特に歯科用の医療用具の消毒器の補助具に関するものである。
【０００２】
【従来の技術】
従来、歯科用の医療用具の消毒器としては、オートクレーブと称する蒸気による煮沸器とか、ガスによる滅菌器などがある。
【０００３】
ガスによる滅菌器は、一例として、酸化エチレンガスを使用し、締め付けハンドルを有するドアを設けた一定容量のチャンバー（缶体）内にガスを加圧・加温・吸引して、このチャンバー内に置く医療用具を酸化エチレンガスの化学作用で消毒するものである。また、消毒としてはエタノール等の薬液に浸漬するとかの方法も取られることもある。
【０００４】
しかし、これらは何れも消毒に要する時間が長いので、ひんぱんに消毒を要する場合は不適当である。
【０００５】
発明者は先に、医療用具ではないが、紫外線殺菌灯より照射された紫外線を部分的に遮ることなく照射して、十分な殺菌消毒効果を出すことができ、しかも、器具の出し入れも含めて殺菌消毒作業を迅速簡便に行うことができ、かつ外部に対する紫外線のもれも完全に防止できて、その開閉機構の操作も簡単であり、また器具の必要部分のみを収納して消毒するので全体がコンパクトですむカミソリの紫外線消毒器を考案し、これを実用新案登録第１８９１７０３号（実公平３−１４１８９号）として実用新案権を取得した。
【０００６】
これは、消毒器本体と、前記消毒器本体内に配設されたカミソリの刃部を嵌挿保持するための透明石英ガラス管よりなる保持管と、前記保持管の外周位置に配設された複数の紫外線殺菌灯よりなり、且つ前記透明石英ガラス管よりなる保持管を収容せる消毒器本体の内面には、紫外線殺菌灯より照射された紫外線を乱反射させるための反射板を配設し、また、前記透明石英ガラス管よりなる保持管の開口端に合せて消毒器本体前面に上部がテーパー状に狭まる固定扉板と、この固定扉板に係合する形状として上部をテーパー状に広げ、また下部にカミソリ刃部根元の柄部の挿入用凹部を形成した回動扉板と、バネ力で固定扉板の下部側縁から突出し閉状態の回扉板の凹部を塞ぐ内扉板との組合せからなる開閉機構を取付けたことを特徴とするカミソリの紫外線消毒器である。
【０００７】
【発明が解決しようとする課題】
前記実用新案登録第１８９１７０３号のカミソリの紫外線消毒器は、カミソリの消毒だけでなく、歯科等の医療用具の消毒にも適用できるが、透明石英ガラス管の径や開閉機構の開口径は色々な大きさの用具を消毒できるようにある程度の大きさのものに設定される。
【０００８】
従って、歯科用の医療用具のスケーラーのように細長い柄部と先端に刃や錐を有する用具では、安定して設置することが困難である。
【０００９】
本発明の目的は前記従来例の不都合を解消し、歯科用の医療用具のスケーラーのごとく細長い柄部の先端に刃や錐等の鋭利部を有する用具でも、安全にかつ安定して設置することができる医療用具の消毒器の補助具を提供することにある。
【００１０】
【課題を解決するための手段】
本発明は前記目的を達成するため、第１に、ハウジングケース内に、消毒すべき医療用具を挿入保持するための透明石英ガラス管よりなる保持管と、前記保持管の外方に配設する紫外線殺菌灯と、さらに、その周囲に紫外線殺菌灯より照射された紫外線を乱反射させるための反射板とを配設し、また、前記保持管の開口端に合せてハウジングケース前面に挿入口を設けた医療用具の消毒器に使用するものであり、挿入口の前側に設けるものとして立板フランジを有する水平な受け台板と、消毒すべき医療用具を一部差し入れる筒体であり、この筒体の差し入れ口部外周に前記立板フランジへの係止溝を形成した保持具とからなることを要旨とするものである。
【００１１】
第２に、筒体は、内部に押し板バネによる医療用具の固定部材を配設したこと、第３に、筒体の差し入れ口部は下半部を受け部として延設したものであり、この受け部を肉厚ボス部としてその中央外周面に係止溝を形成したこと、第４に、受け台板の立板フランジは保持具側の係止溝に係合する部分として上端中央に凹部を形成し、また、蝶番による開閉板で、左右に折り返しフランジと、下端中央に前記凹部に対応する凹部を形成した開閉板をこの受け台板側に上から倒し被せるようにしたことを要旨とするものである。
【００１２】
請求項１記載の本発明によれば、スケーラーのごとく細長い柄部の先端に刃や錐等の鋭利部を有する医療用具はその一方側を保持具である筒体内に挿入し、筒体から出る部分を、消毒器の開閉式の挿入口から透明石英ガラス管内に入れ、また、筒体自体は挿入口の前に設けた水平な受け台板の立板フランジに係止させて保持させる。このようにすれば、医療用具は筒体で片側を保持されながら残りの部分が安定して透明石英ガラス管内に収められ、消毒を施すことができる。さらに、残りの片側に対しては筒体への挿入部分を入れ換えることで、同様に消毒を施すことができる。また、手で持つ部分を筒体部分に限定すれば、先端の刃や錐等の鋭利部に触れるおそれもなく、安全である。
【００１３】
請求項２記載の本発明によれば、前記作用に加えて、スケーラーのごとく細長い柄部の先端に刃や錐等の鋭利部を有する医療用具はその一方側を保持具である筒体内に挿入した場合に押し板バネにより固定され、筒体と一体のものとして抜け出してしまうおそれもなく、より安定した状態を保てる。
【００１４】
請求項３記載の本発明によれば、筒体の差し入れ口部に下半部を延設した受け部が形成されるので、この受け部で医療用具を受けて筒体本体が短い場合でも安定した保持ができ、また、受け部で受ける医療用具の部分は外側から看取可能なので、この部分を全て筒として覆ってしまう場合に比べて、安心感が増大する。さらに、受け部下半部を肉厚ボス部としたことで強度的にも問題がなく、立板フランジへの係止もこの立板フランジを挟み込むようにして安定して行える。
【００１５】
請求項４記載の本発明によれば、開閉板をこの受け台板側に上から倒し被せるようにして、この開閉板で消毒器の開閉式の挿入口から漏れだす紫外線を遮蔽できる。
【００１６】
【発明の実施の形態】
以下、本発明の実施の形態を図面について詳細に説明する。先に本発明の補助具を使用する医療用具の消毒器について説明する。
【００１７】
図１０、図１１に示すように、１は消毒器本体のハウジングケースを示し、内部に医療用具を挿入保持するに都合のよい程度の内径を有すると共に紫外線透過率に勝れた透明石英ガラス製の保持管２を配設した。この場合、保持管２の一側開口端３をハウジングケース１の正面４に臨ませて配設し、当該保持管２内に外部から医療用具を簡便迅速に出し入れし易いようにする。
【００１８】
ハウジングケース１内で前記保持管２の外周位置にこれを中にして対向するようにして紫外線殺菌灯５を設け、その照射紫外線は前記筒状の透明石英ガラス製の保持管２を通して内部にセットされる医療用具に目的照射される。
【００１９】
更に前記ハウジングケース１内には、筒状の保持管２及び紫外線殺菌灯５を囲むようにして、アルミ製の乱反射板７を取付け、紫外線殺菌灯５の各々から照射された紫外線又は反射紫外線を乱反射せしめるようにした。
【００２０】
そして、前記透明石英ガラス管製の保持管２の一側開口端３に合せて、ハウジングケース１の前面に、開閉機構８を有する挿入口９を設ける。図示は省略するが、この開閉機構８は石英ガラス管製の保持管２の一側開口端３の前方でハウジングケース１の前面パネル１ａに取付けられ、保持管２と同心でかつこれよりもかなり大径の円環状外枠内に固定扉板とこの固定扉板に係合する回動扉板及び内扉板を設けてなる写真機の絞り機構の如きものである。
【００２１】
ハウジングケース１は、正面４に前記開閉機構８の他に電源スイッチ１０、電源スイッチ確認灯１１、紫外線殺菌灯５の点灯スイッチ１２及び紫外線殺菌灯５の点灯確認ランプ１３ａ，１３ｂを設けている。また、ハウジングケース１は上面に手掛け部６を設け、携帯し易いようにしている。
【００２２】
使用に際しては、先ず、電源プラグをコンセントに差込み、電源スイッチ１０を入れると電源スイッチ確認灯１１が点灯する。この状態では固定扉板と回動扉板の端部同士が重なり合っていて、開閉機構８は閉状態である。点灯スイッチ１２も閉じているので紫外線殺菌灯５は消灯状態にある。
【００２３】
手で操作レバー８ａを押して開閉機構８を大きく開ける。その結果、保持管２の一側開口端３の前方の挿入口９は開口するので、医療用具を透明石英ガラス管製の保持管２内にその一側開口端３から挿入する。
【００２４】
医療用具を保持管２内にセットし終わったならば、次に点灯スイッチ１２をスイッチオンすると、紫外線殺菌灯５を点灯する。それにより紫外線殺菌灯５の各々から照射された紫外線は透明石英ガラス管製の保持管２内を透過し、中にセットされている医療用具に照射され・殺菌作用をなすのである。この場合、保持管２は透明石英ガラスなので、紫外線は遮られることなく照射される。そして、前記紫外線殺菌灯５から照射された紫外線の一部はアルミ乱反射板７の所で乱反射させられるので、あらゆる方向から紫外線が医療用具にめがけて照射されることになる。
【００２５】
点灯スイッチ１２のスイッチオンとともに向かって左側の紫外線殺菌灯５が点灯すると点灯確認ランプ１３ａが点灯し、右側の紫外線殺菌灯５が点灯すると点灯確認ランプ１３ｂが点灯して紫外線殺菌灯５の点灯を確認する。点灯スイッチ１２をスイッチオンして点灯確認ランプ１３ａが点灯し、点灯確認ランプ１３ｂが点灯しない時は右側の紫外線殺菌灯５の球が切れているので、交換する必要がある。点灯確認ランプ１３ａ，１３ｂは紫外線殺菌灯５の断線（球切れ）を確認するものである。ＩＣ制御回路のタイマーＧＡ動開始し、前記殺菌線の照射に必要な所定時間（約６０秒）後に点灯スイッチ１２が点滅に変わり、殺菌消毒終了を知らせる。
【００２６】
このような医療用具の消毒器に使用する補助具として、本発明はハウジングケース１の正面４の挿入口９の前側に設けるものとして立板フランジ１５を有する水平な受け台板１４と、消毒すべき医療用具を一部差し入れる筒体１６であり、この筒体１６の差し入れ口部２５の外周に位置に前記立板フランジ１５への係止溝１８を形成した保持具１７とからなる。
【００２７】
先に、受け台板１４について説明すると、図４、図５に示すように、挿入口９を外側から確保できるように円形の開口１９ａを中央に設け、上下に裏側へ折り曲げた係止フランジ１９ｂを設けて、挿入口９の周囲に取り付ける垂直支持板１９の下側にこの受け台板１４を設けた。
【００２８】
立板フランジ１５は受け台板１４の先端を上向きに折り曲げて形成したものであり、本実施形態では台形の板として、その上辺中央部に半円形の切欠き凹部２０を形成した。
【００２９】
また、垂直支持板１９の上側に軸着金物２１を取り着けて、これで蝶番２２による開閉板２３を前記受け台板１４側に上から倒し被せることができるように設けた。
【００３０】
この開閉板２３は左右に裏側への折り返しフランジ２３ａと、下端中央に前記立板フランジ１５の切欠き凹部２０に対応する半円形の切欠き凹部２４を形成した。
【００３１】
前記保持具１７となる筒体１６は、ベークライト（住友ベークライト株式会社の商品名）等の耐熱性合成樹脂で成形したもので、差し入れ口部２５は下半部を受け部２６として延設したものであり、この受け部２６を肉厚ボス部としてその中央外周面に周方向への係止溝１８を形成した。該係止溝１８は開口をテーパー面１８ａの幅広のものとする。
【００３２】
また、筒体１６は医療用具を押さえるものとして、内部に押し板バネ２８による固定部材を配設した。この押し板バネ２８は端部をビス２７で筒体１６の口に固定し、全体が奥へ向かい、かつ、湾曲する凸弧を筒体１６の中心側に向けて設けた。
【００３３】
次に使用法について説明する。医療用具として歯科用のスケーラー３０の消毒をする場合であり、周知のごとくスケーラー３０は細長い柄部３０ａと先端に刃や錐の鋭利部３０ｂを有する。
【００３４】
スケーラー３０は図６に示すように、その一方側を保持具１７である筒体１６内に挿入する。この状態ではスケーラー３０は押し板バネ２８を押し退けながら差し入れられ、押し板バネ２８により固定され、筒体１６と一体のものとして抜け出してしまうおそれもなくより安定した状態を保てる。
【００３５】
そして、筒体１６から出る部分を、消毒器の挿入口９からの保持管２内に入れ、また、この筒体１６自体は受け台板２６の立板フランジ１５を係止溝１８で挟み込むようにして係止させて保持させる。このようにすれば、スケーラー３０は筒体１６で片側を保持されながら残りの部分が安定して保持管２内に収められ、消毒を施すことができる。
【００３６】
前記係止溝１８は立板フランジ１５の切欠き凹部２０に嵌まるものであり、開閉板２３を前記受け台板１４側に上から倒し被せれば、凹部２０と凹部２４が筒体１６を囲む円形孔を形成し、開閉機構８が多少締め切らない場合でも、そこから漏れる紫外線をこの開閉板２３が遮断することができる。
【００３７】
消毒後、スケーラー３０の残りの片側に対しては筒体１６への挿入部分を入れ換えることで、同様に消毒を施すことができる。また、手で持つのを筒体１６部分に限定すれば、先端の刃や錐等の鋭利部３０ｂに触れるおそれもなく、安全である。
【００３８】
【発明の効果】
以上述べたように本発明の医療用具の消毒器の補助具は、ハウジングケース内に、消毒すべき医療用具を挿入保持するための透明石英ガラス管よりなる保持管と、前記保持管の外方に配設する紫外線殺菌灯と、さらに、その周囲に紫外線殺菌灯より照射された紫外線を乱反射させるための反射板とを配設し、また、前記保持管の開口端に合せてハウジングケース前面に挿入口を設けた医療用具の消毒器に使用するものとして、歯科用の医療用具のスケーラーのごとく細長い柄部の先端に刃や錐等の鋭利部を有する用具でも、安全にかつ安定して設置して、消毒作業が行えるものである。
【図面の簡単な説明】
【図１】本発明の医療用具の消毒器の補助具の１実施形態を示すもので、使用開始準備の縦断側面図である。
【図２】本発明の医療用具の消毒器の補助具の１実施形態を示すもので、使用開始準備の正面図である。
【図３】本発明の医療用具の消毒器の補助具の１実施形態を示すもので、使用中の側面図である。
【図４】本発明の医療用具の消毒器の補助具のうち、受け台板側の開閉板を閉じた状態の斜視図である。
【図５】本発明の医療用具の消毒器の補助具のうち、受け台板側の開閉板を開いた状態の斜視図である。
【図６】本発明の医療用具の消毒器の補助具のうち、保持具側の縦断側面図である。
【図７】本発明の医療用具の消毒器の補助具で、保持具がない状態の縦断側面図である。
【図８】本発明の医療用具の消毒器の補助具で、保持具がない状態の受け台板側の開閉板を開いた状態の正面図である。
【図９】本発明の医療用具の消毒器の補助具で、保持具がない状態の受け台板側の開閉板を閉じた状態の正面図である。
【図１０】本発明の補助具を使用する医療用具の消毒器の正面図である。
【図１１】本発明の補助具を使用する医療用具の消毒器の縦断側面図である。
【符号の説明】
１…ハウジングケース            １ａ…前面パネル
２…保持管
３…一側開口端                  ４…正面
５…紫外線殺菌灯                ６…手掛け部
７…乱反射板                    ８…開閉機構
８ａ…操作レバー                ９…挿入口
１０…電源スイッチ              １１…電源スイッチ確認灯
１２…点灯スイッチ              １３ａ，１３ｂ…点灯確認ランプ
１４…受け台板                  １５…立板フランジ
１６…筒体                      １７…保持具
１８…係止溝                    １８ａ…テーパー面
１９…垂直支持板                １９ａ…開口
１９ｂ…係止フランジ            ２０…凹部
２１…軸着金物                  ２２…蝶番
２３…開閉板                    ２３ａ…折り返しフランジ
２４…凹部
２５…差し入れ口部              ２６…受け部
２７…ビス                      ２８…押し板バネ
３０…スケーラー                ３０ａ…柄部
３０ｂ…鋭利部
【図１】
0003602816.tif 000002
【図２】
0003602816.tif 000003
【図３】
0003602816.tif 000004
【図４】
0003602816.tif 000005
【図５】
0003602816.tif 000006
【図６】
0003602816.tif 000007
【図７】
0003602816.tif 000008
【図８】
0003602816.tif 000009
【図９】
0003602816.tif 000010
【図１０】
0003602816.tif 000011
【図１１】
0003602816.tif 000012